(57)【要約】      （修正有）【課題】２種類の光ディスクに対してデータの読取や記録が行え、制御基板とピックアップヘッドとの間を接続する配線本数を減少し、且つ制御基板における回路パターンを簡略化することで、装置本体のコストダウンを図った光ディスク装置の提供。【解決手段】光ディスク装置は、ピックアップヘッド２側にモニタ出力切替部１９を設け、制御基板から入力されるＣＤ用ＬＤ１１に対するレーザ光の出射許可／禁止にかかる信号をピックアップヘッド内部で分けて、ＣＤ用ＬＤ１１、モニタ出力切替部１０、駆動切替部２１にそれぞれ入力する構成としたので、ピックアップヘッド２と、制御基板とを接続する配線の本数を減少させることができる。また、制御基板側に、ＣＤ用モニタＰＤ１４とＤＶＤ用モニタＰＤ１８の出力を共通の回路で処理する構成としたので、その回路構成を簡略化できる。【選択図】図２
2006179086.tif 000002
【特許請求の範囲】
【請求項１】
本体にセットされる２種類の光ディスクに対して、それぞれレーザ光を照射する光源、および前記光ディスクからの反射光量を検出する受光素子を有するピックアップヘッドと、
本体にセットされている光ディスクの種類に応じて、前記ピックアップヘッドの一方の光源に対してレーザ光の照射を許可し、他方の光源に対してレーザ光の照射を禁止する制御手段と、を備えた光ディスク装置において、
前記ピックアップヘッドは、前記光源毎に照射しているレーザ光の発光量を検出するモニター用受光素子を有するとともに、該モニタ用受光素子の出力を選択的に切り替えて前記制御手段に入力するモニタ出力切替部を有し、且つ２つの光源は、一方がＣＤ用で、他方がＤＶＤ用であり
前記モニタ出力切替部は、前記制御手段が一方の光源に対してレーザ光の照射を許可しているとき、この一方の光源に対するモニタ用受光素子の出力を前記制御手段に入力し、反対に前記制御手段が一方の光源に対してレーザ光の照射を許可していないとき、この他方の光源に対するモニタ用受光素子の出力を前記制御手段に入力する切り替えを行い、
前記制御手段は、前記ピックアップヘッドに２つの光源に対するレーザ光の許可、禁止を示す信号を個別に与える手段であり、
さらに、前記ピックアップヘッドは、２つの光源に対して共通の駆動部を有するとともに、前記駆動部で駆動する光源を切り替える駆動切替部を有し、前記駆動切替部は前記制御手段によりレーザ光の照射が許可されている光源を駆動する切り替えを行う光ディスク装置。
【請求項２】
本体にセットされる２種類の光ディスクに対して、それぞれレーザ光を照射する光源、および前記光ディスクからの反射光量を検出する受光素子を有するピックアップヘッドと、
本体にセットされている光ディスクの種類に応じて、前記ピックアップヘッドの一方の光源に対してレーザ光の照射を許可し、他方の光源に対してレーザ光の照射を禁止する制御手段と、を備えた光ディスク装置において、
前記ピックアップヘッドは、前記光源毎に照射しているレーザ光の発光量を検出するモニター用受光素子を有するとともに、該モニタ用受光素子の出力を選択的に切り替えて前記制御手段に入力するモニタ出力切替部を有し、
前記モニタ出力切替部は、前記制御手段が一方の光源に対してレーザ光の照射を許可しているとき、この一方の光源に対するモニタ用受光素子の出力を前記制御手段に入力し、反対に前記制御手段が一方の光源に対してレーザ光の照射を許可していないとき、この他方の光源に対するモニタ用受光素子の出力を前記制御手段に入力する切り替えを行う光ディスク装置。
【請求項３】
前記制御手段は、前記ピックアップヘッドに２つの光源に対するレーザ光の許可、禁止を示す信号を個別に与える手段である請求項２に記載の光ディスク装置。
【請求項４】
前記ピックアップヘッドは、２つの光源に対して共通の駆動部を有するとともに、前記駆動部で駆動する光源を切り替える駆動切替部を有し、前記駆動切替部は前記制御手段によりレーザ光の照射が許可されている光源を駆動する切り替えを行う請求項２または３に記載の光ディスク装置。
【請求項５】
前記ピックアップヘッドの２つの光源は、一方がＣＤ用で、他方がＤＶＤ用である請求項２から４のいずれかに記載の光ディスク装置。
【発明の詳細な説明】
【技術分野】
【０００１】
この発明は、本体にセットされる２種類の光ディスクに対して、データの読取や記録が行える光ディスク装置に関する。
【背景技術】
【０００２】
従来、ＣＤ、ＤＶＤ、ＢＤ等の光ディスクに対して、記録されているデータの読取や、データの記録が行える光ディスク装置が一般に普及している。最近では２種類の光ディスクに対して、データの読取や記録が行える光ディスク装置も実用化されている。例えば、ＣＤとＤＶＤに対してデータの記録が行える光ディスク装置が特許文献１に示されている。また、今後、その開発、実用化が進むと思われるＢＤについても、例えばＣＤとＢＤや、ＤＶＤとＢＤ等の組み合わせで、２種類の光ディスクに対してデータの読取や記録が行える光ディスク装置が実用化されると考えられる。
【０００３】
一方、光ディスクはその種類毎にデータの読取や記録を行うときに、該光ディスクに照射するレーザ光の波長が異なる。このため、２種類の光ディスクに対してデータの読取や記録が行える光ディスク装置には、光ディスクの種類毎に、レーザ光を照射する光源（レーザダイオード）、および光ディスクからの反射光を検出する受光素子（フォトディテクタ）をピックアップヘッドに設けている。また、光ディスク装置のピックアップヘッドには、光源から照射されているレーザ光のパワーを管理するために、光源から出射されているレーザ光を分光し、分光した一方のレーザ光をモニタ用受光素子で検出する構成が設けられている。分光された他方のレーザ光が光ディスクに照射される。２種類の光ディスクに対してデータの読取や記録が行える光ディスク装置では、このモニタ用受光素子も光源毎に設けている。
【０００４】
２種類の光ディスクに対してデータの読取や記録が行える光ディスク装置は、本体にセットされている光ディスクの種類に応じて、ピックアップヘッドに対して、レーザ光を照射する光源の指示や、モニタ用受光素子の出力に基づいて光源の発光量の指示等を行う制御基板が設けられている。例えば、ＣＤとＤＶＤの２種類の光ディスクに対してデータの読取や記憶が行える光ディスク装置は、本体にＣＤがセットされているときにＣＤ用の光源に対してレーザ光の照射許可、ＤＶＤ用の光源に対してレーザ光の照射禁止の指示をピックアップヘッドに与え、また本体にＤＶＤがセットされているときにＣＤ用の光源に対してレーザ光の照射禁止、ＤＶＤ用の光源に対してレーザ光の照射許可の指示をピックアップヘッドに与える制御基板が設けられている。さらに、この制御基板は、本体に光ディスクがセットされていないとき、ＣＤ用、およびＤＶＤ用の光源に対してレーザ光の照射禁止の指示を与える。このように２つの光源に対して同時にレーザ光の照射を許可することはないが、両方の光源に対してレーザ光の照射を禁止する場合があることから、制御基板は光源毎にレーザ光の照射許可／禁止にかかる指示をピックアップヘッドに与える構成となっている。
【０００５】
また、制御基板においては、ピックアップヘッドからＣＤ用のモニタ受光素子、およびＤＶＤ用モニタ受光素子が個別に接続されている。制御基板は、ピックアップヘッドに対してその時点でレーザ光の照射を許可している光源に対応する側のモニタ用受光素子における検出出力に基づいて、その時点でレーザ光の照射を許可している光源の発光量をピックアップヘッドに指示する。具体的には、ＣＤ用の光源に対してレーザ光の照射を許可しているときには、ＣＤ用のモニタ受光素子の検出出力に基づいてＣＤ用の光源の発光量が予め定められている発光量になるようにピックアップヘッドに指示する。また、ＤＶＤ用の光源に対してレーザ光の照射を許可しているときには、ＤＶＤ用のモニタ受光素子の検出出力に基づいて、ＤＶＤ用の光源の発光量が予め定められている発光量になるようにピックアップヘッドに指示する。
【０００６】
なお、ＣＤ用の光源およびＤＶＤ用の光源の発光量は、制御基板において個別に設定されている。また、各光源に対する発光量は、読取時と、記録時についても個別に設定されている。
【特許文献１】特開２００３−９９９６９号公報
【発明の開示】
【発明が解決しようとする課題】
【０００７】
しかしながら、従来の２種類の光ディスクに対してデータの読取や記録が行える光ディスク装置は、制御基板において同時に必要とすることがない、ピックアップヘッドに設けられている２つのモニタ用受光素子を制御基板に個別に接続した構成であった。このように、制御基板は、２つのモニタ用受光素子の検出出力を個別に取り込む構成であることから、モニタ用受光素子の検出出力を処理するモニタ用回路を２つ備えている。一方、このモニタ用受光素子の出力を処理する２つのモニタ用回路は、同時に動作することがない。このことから、少なくとも一方のモニタ用回路は無駄であり、が停止していることから、このモニタ用回路を２つ設けることは、制御基板に形成する回路パターンを複雑にするとともに、ピックアップヘッドと制御基板とを接続する配線本数の増加をともない、装置本体のコストを増加させているという問題がある。  なお、制御基板には、トラッキング制御回路、フォーカス制御回路、デコード回路、エンコード回路等も形成されている。
【０００８】
この発明の目的は、２種類の光ディスクに対してデータの読取や記録が行え、制御基板とピックアップヘッドとの間を接続する配線本数を減少し、且つ制御基板における回路パターンを簡単にすることで、装置本体のコストダウンを図った光ディスク装置を提供することにある。
【課題を解決するための手段】
【０００９】
この発明の光ディスク装置は、上記課題を解決するために以下の構成を備えている。
【００１０】
（１）本体にセットされる２種類の光ディスクに対して、それぞれレーザ光を照射する光源、および前記光ディスクからの反射光量を検出する受光素子を有するピックアップヘッドと、
本体にセットされている光ディスクの種類に応じて、前記ピックアップヘッドの一方の光源に対してレーザ光の照射を許可し、他方の光源に対してレーザ光の照射を禁止する制御手段と、を備えた光ディスク装置において、
前記ピックアップヘッドは、前記光源毎に照射しているレーザ光の発光量を検出するモニター用受光素子を有するとともに、該モニタ用受光素子の出力を選択的に切り替えて前記制御手段に入力するモニタ出力切替部を有し、
前記モニタ出力切替部は、前記制御手段が一方の光源に対してレーザ光の照射を許可しているとき、この一方の光源に対するモニタ用受光素子の出力を前記制御手段に入力し、反対に前記制御手段が一方の光源に対してレーザ光の照射を許可していないとき、この他方の光源に対するモニタ用受光素子の出力を前記制御手段に入力する切り替えを行う。
【００１１】
この構成では、ピックアップヘッドに設けたモニタ出力切替部が、制御手段によりレーザ光の照射が許可されている側に対応するモニタ用受光素子の出力を制御基板に入力する構成としたので、２つのモニタ用受光素子の出力をピックアップヘッドから制御手段へ入力する配線が共有できる。言い換えれば、モニタ用受光素子毎に、その出力をピックアップヘッドから制御手段へ入力するための配線を設けなくてもよい。また、制御手段を構成する制御基板においても、モニタ用受光素子毎に、その出力を処理するための回路パターンを形成しなくてもよいので、回路パターンを簡単にできる。さらに、ピックアップヘッド側では、制御手段側へ出力するモニタ用受光素子の出力の切り替えを、制御手段による一方の光源に対するレーザ光の照射の許可、禁止にかかる指示に基づいて行うので、制御手段がピックアップヘッドに設けたモニタ出力切替部に対して、その選択にかかる指示を与えるための配線についても別途設けなくてもよい。
【００１２】
したがって、制御手段とピックアップヘッドとの間を接続する配線本数を減少でき、且つ制御手段における回路パターンを簡単にすることができるので、装置本体のコストダウンが図れる。
【００１３】
２種類の光ディスクとしては、ＣＤとＤＶＤ、ＣＤとＢＤ、ＤＶＤとＢＤ等の組み合わせがある。
【００１４】
（２）前記制御手段は、前記ピックアップヘッドに２つの光源に対するレーザ光の許可、禁止を示す信号を個別に与える手段である。
【００１５】
この構成では、制御手段は両方の光源に対してレーザ光の照射を禁止する指示が行えるので、本体に光ディスクがセットされていないときに、光源からレーザ光が照射されるのを防止することができる。
【００１６】
（３）前記ピックアップヘッドは、２つの光源に対して共通の駆動部を有するとともに、前記駆動部で駆動する光源を切り替える駆動切替部を有し、前記駆動切替部は前記制御手段によりレーザ光の照射が許可されている光源を駆動する切り替えを行う。
【００１７】
この構成では、２つの光源に対する駆動部も共通であるので、装置本体のさらなるコストダウンが図れる。
【発明の効果】
【００１８】
この発明によれば、制御手段とピックアップヘッドとの間を接続する配線本数を減少でき、且つ制御手段における回路パターンを簡単にでき、装置本体のコストダウンが図れる。
【発明を実施するための最良の形態】
【００１９】
以下、この発明の実施形態である光ディスク装置について説明する。
【００２０】
図１は、この発明の実施形態である光ディスク装置の主要部の構成を示す図である。この実施形態の光ディスク装置１は、ＣＤおよびＤＶＤの２種類の光ディスクに対してデータの読取、記録が行える。この実施形態の光ディスク装置１は、ピックアップヘッド２と制御基板３と、を備えている。この制御基板が、この発明で言う制御手段に相当する。図２は、この発明の実施形態である光ディスク装置のピックアップヘッドの構成を示す図である。ピックアップヘッド２には、ＣＤにレーザ光を照射するＣＤ用ＰＤ１１、ＣＤに照射したレーザ光の反射光を検出するＣＤ用ＬＤ１２、ＣＤ用ＬＤ１１に対するレーザ光の照射制御やＣＤ用ＰＤ１１で検出された反射光に基づいてＲＦ、ＦＥ、ＴＥ等の信号を生成して出力する制御回路１３と、ＣＤ用ＬＤ１１から照射されているレーザ光を検出するＣＤ用モニタＰＤ１４と、ＤＶＤにレーザ光を照射するＤＶＤ用ＰＤ１５、ＤＶＤに照射したレーザ光の反射光を検出するＣＤ用ＬＤ１６、ＤＶＤ用ＬＤ１７に対するレーザ光の照射制御やＤＶＤ用ＰＤ１５で検出された反射光に基づいてＲＦ、ＦＥ、ＴＥ等の信号を生成して出力する制御回路１７と、ＤＶＤ用ＬＤ１５から照射されているレーザ光を検出するＤＶＤ用モニタＰＤ１８と、ＣＤ用モニタＰＤ１４、またはＤＶＤ用モニタＰＤ１８の一方の出力を選択的に出力するモニタ出力切替部１９と、ＣＤ用ＬＤ１１およびＤＶＤ用ＬＤ１５を駆動する駆動回路２０と、駆動回路２０により駆動されるＬＤ（ＣＤ用ＬＤ１１またはＤＶＤ用ＬＤ１５）を選択する駆動切替部２１と、を備えている。また、図２中に示す、２１はＣＤ用ＬＤ１１から照射されているレーザ光をＣＤの記録面に集光するためのＣＤ用対物レンズであり、２２は対物レンズ２１を光ディスクの記録面に対して接離する方向（フォーカス方向）に駆動するフォーカス機構、２３は対物レンズ２１を光ディスクの半径方向（トラッキング方向）に駆動するトラッキングス機構である。また、２５はＤＶＤ用ＬＤ１５から照射されているレーザ光をＤＶＤの記録面に集光するためのＤＶＤ用対物レンズであり、２６は対物レンズ２５を光ディスクの記録面に対して接離する方向（フォーカス方向）に駆動するフォーカス機構、２３は対物レンズ２５を光ディスクの半径方向（トラッキング方向）に駆動するトラッキングス機構である。
【００２１】
なお、２４はＣＤ用ＬＤ１１から出射されたレーザ光を分光し、一方をＣＤ側、他方をＣＤ用モニタＰＤ１４に導くビームスプリッタであり、２８はＤＶＤ用ＬＤ１５から出射されたレーザ光を分光し、一方をＤＶＤ側、他方をＤＶＤ用モニタＰＤ１８に導くビームスプリッタである。また、ＣＤ用ＬＤ１１と、ＤＶＤ用ＬＤ１５とは、出力されるレーザ光の波長が異なる。
【００２２】
図２中に示す、端子Ａ１には制御基板３からフォーカス機構２２に対するフォーカスサーボ信号が入力され、端子Ａ２には制御基板３からトラッキング機構２３に対するトラッキングサーボ信号が入力される。フォーカス機構２２は、入力されたフォーカスサーボ信号に基づいて対物レンズ２１をＣＤに対して接離する方向に駆動する。トラッキング機構２３は、入力されたトラッキング信号に基づいて対物レンズ２１をＣＤの半径方向に駆動する。また、端子Ａ３には対物レンズ２１についてのフォーカスエラー信号（ＦＥ信号）が出力され、端子Ａ４には対物レンズ２１についてのトラッキングエラー信号（ＴＥ信号）が出力され、端子Ａ５にはＣＤからの読取信号であるＲＦ信号が出力される。また、端子Ａ６にはＣＤ用ＬＤ１１に対するレーザ光の照射許可／禁止を示す信号が入力される。この信号は、図示するように、制御回路１３、モニタ出力切替部１９、および駆動切替部２１に入力される。制御回路１３はこの信号に基づいてＣＤ用ＬＤ１１の発光を制限し、モニタ出力切替部１９は端子Ａ７に出力するモニタ出力（ＣＤ用モニタＰＤ１４またはＤＶＤ用モニタＰＤ１８の出力）を切り替える。駆動切替部２１は、端子Ａ８から入力される駆動信号により駆動されるＬＤ（ＣＤ用ＬＤ１１またはＤＶＤ用ＬＤ１５）を切り替える。端子Ａ８に入力された駆動信号は駆動回路２０に入力され、駆動回路２０がこの駆動信号に基づいてＣＤ用ＬＤ１１またはＤＶＤ用ＬＤ１５を駆動する。
【００２３】
また、端子Ａ１４には制御基板３からフォーカス機構２６に対するフォーカスサーボ信号が入力され、、端子Ａ１３には制御基板３からトラッキング機構２７に対するトラッキングサーボ信号が入力される。フォーカス機構２６は、入力されたフォーカスサーボ信号に基づいて対物レンズ２５をＤＶＤに対して接離する方向に駆動する。トラッキング機構２７は、入力されたトラッキング信号に基づいて対物レンズ２５をＣＤの半径方向に駆動する。また、端子Ａ９には対物レンズ２５についてのフォーカスエラー信号が出力され、端子Ａ１０には対物レンズ２５についてのトラッキングエラー信号が出力され、端子Ａ１１にはＤＶＤからの読取信号であるＲＦ信号が出力される。また、端子Ａ１２にはＤＶＤ用ＬＤ１１５に対するレーザ光の照射許可／禁止を示す信号が入力される。この信号は、図示するように、制御回路１７に入力され、モニタ出力切替部１９、および駆動切替部２１には入力されない。
【００２４】
図３は、この発明の実施形態である光ディスク装置の制御基板の構成を示す図である。制御基板３は、制御基板３における動作を制御する制御部３１と、ピックアップヘッド２のＣＤ側の制御回路１３から出力されたＦＥ信号に基づいて、フォーカス機構２２を制御するＣＤ用フォーカスサーボ制御部３２と、ピックアップヘッド２のＣＤ側の制御回路１３から出力されたＴＥ信号に基づいて、トラッキング機構２３を制御するＣＤ用トラッキングサーボ制御部３３と、ピックアップヘッド２のＣＤ側の制御回路１３から出力されたＲＦ信号の処理や、ＣＤに記録する記録データを処理するＣＤ用記録／読取制御部３４と、ピックアップヘッド２のＤＶＤ側の制御回路１７から出力されたＦＥ信号に基づいて、フォーカス機構２６を制御するＤＶＤ用フォーカスサーボ制御部３５と、ピックアップヘッド２のＤＶＤ側の制御回路１７から出力されたＴＥ信号に基づいて、トラッキング機構２７を制御するＤＶＤ用トラッキングサーボ制御部３６と、ピックアップヘッド２のＤＶＤ側の制御回路１７から出力されたＲＦ信号の処理や、ＤＶＤに記録する記録データを処理するＤＶＤ用記録／読取制御部３４と、駆動回路２０におけるＣＤ用ＬＤ１１、およびＤＶＤ用ＬＤ１５の駆動を制御する駆動制御部３８と、を備えている。
【００２５】
なお、ピックアップヘッド２と制御基板３とは、図２。図３に示す同じ符号の端子間を接続している。
【００２６】
ＣＤ用ＰＤ１２、およびＤＶＤ用ＰＤ１６は、公知の光ディスク装置と同じように４分割の受光素子を有している、制御回路１３は、ＣＤ用ＰＤ１２の分割領域毎に検出された反射光量を用いてＦＥ信号、ＴＥ信号、ＲＦ信号を生成し出力する。制御回路１７は、ＤＶＤ用ＰＤ１６の分割領域毎に検出された反射光量を用いてＦＥ信号、ＴＥ信号、ＲＦ信号を生成し出力する。ＦＥ信号、ＴＥ信号、ＲＦ信号については、公知であるので、ここでは説明を省略する。また、制御回路１３は、制御基板３からＣＤ用ＬＤ１１に対するレーザ光の照射禁止にかかる指示が入力されているときにはＣＤ用ＬＤ１１に対してレーザ光の照射を禁止し、反対にＣＤ用ＬＤ１１に対するレーザ光の照射許可にかかる指示が入力されているときにはＣＤ用ＬＤ１１のレーザ光の照射を許可する制御を行う。制御回路１３がＣＤ用ＬＤ１１に対してレーザ光の照射を禁止する制御を行っているとき、ＣＤ用ＬＤ１１は駆動回路２０から駆動信号が入力されても、レーザ光を照射しないように構成されている。また、制御回路１７は、制御基板３からＤＶＤ用ＬＤ１５に対するレーザ光の照射禁止にかかる指示が入力されているときにはＤＶＤ用ＬＤ１５に対してレーザ光の照射を禁止し、反対にＤＶＤ用ＬＤ１５に対するレーザ光の照射許可にかかる指示が入力されているときにはＤＶＤ用ＬＤ１５のレーザ光の照射を許可する制御を行う。制御回路１７がＤＶＤ用ＬＤ１５に対してレーザ光の照射を禁止する制御を行っているとき、ＤＶＤ用ＬＤ１５は駆動回路２０から駆動信号が入力されても、レーザ光を照射しないように構成されている。
【００２７】
モニタ出力切替部１９は、制御基板３からＣＤ用ＬＤ１１に対して、レーザ光の照射を許可する入力が行われているとき、ＣＤ用モニタＰＤ１４の出力を端子Ａ７に出力し、その他の場合（ＤＶＤ用ＬＤ１５に対してレーザ光の照射を許可する信号が入力されている場合、ＣＤ用ＬＤ１１およびＤＶＤ用ＬＤ１５の両方に対してレーザ光の照射を禁止する信号が入力されている場合）に、ＤＶＤ用モニタＰＤ１８の出力を端子Ａ７に出力する切替を行う。モニタ出力切替部１９は、一般的なスイッチ回路である。また、駆動切替部２１も制御基板３からＣＤ用ＬＤ１１に対して、レーザ光の照射を許可する入力が行われているとき、駆動回路２０による駆動信号をＣＤ用ＬＤ１１に与え、（その他の場合（ＤＶＤ用ＬＤ１５に対してレーザ光の照射を許可する信号が入力されている場合、ＣＤ用ＬＤ１１およびＤＶＤ用ＬＤ１５の両方に対してレーザ光の照射を禁止する信号が入力されている場合）に、駆動回路２０による駆動信号をＤＶＤ用ＬＤ１５に与える切替を行う。駆動切替部２０も、一般的なスイッチ回路である。
【００２８】
また、制御基板３の制御部３１は、本体にセットされている光ディスクがＣＤであればＣＤ用ＬＤ１１に対してレーザ光の照射を許可する信号を端子Ａ６に出力し、ＤＶＤ用ＬＤ１５に対してレーザ光の照射を禁止する信号を端子Ａ１２に出力する。また、本体にセットされている光ディスクがＤＶＤであればＣＤ用ＬＤ１１に対してレーザ光の照射を禁止する信号を端子Ａ６に出力し、ＤＶＤ用ＬＤ１５に対してレーザ光の照射を許可する信号を端子Ａ１２に出力する。さらに、本体に光ディスクがセットされていないときには、ＣＤ用ＬＤ１１、およびＤＶＤ用ＬＤ１５に対してレーザ光の照射を禁止する信号を端子Ａ６、Ａ１２にそれぞれ出力する。
【００２９】
ＣＤ用フォーカスサーボ制御部３２は、ピックアップヘッド２の制御回路１３から入力されているＦＥ信号に基づいてフォーカスサーボ信号を生成する。ＣＤ用トラッキングサーボ制御部３３は、ピックアップヘッド２の制御回路１３から入力されているＴＥ信号に基づいてトラッキングサーボ信号を生成する。ＤＶＤ用フォーカスサーボ制御部３５は、ピックアップヘッド２の制御回路１７から入力されているＦＥ信号に基づいてフォーカスサーボ信号を生成する。ＤＶＤ用トラッキングサーボ制御部３６は、ピックアップヘッド２の制御回路１７から入力されているＴＥ信号に基づいてトラッキングサーボ信号を生成する。ＣＤ用フォーカスサーボ制御部３２およびＣＤ用トラッキングサーボ制御部３３は、制御部３１がＣＤ用ＬＤ１１に対してレーザ光の照射を許可する信号を端子Ａ６に出力しているときに動作し、禁止する信号を端子Ａ６に出力している場合に動作しない。ＤＶＤ用フォーカスサーボ制御部３５およびＤＶＤ用トラッキングサーボ制御部３６は、制御部３１がＤＶＤ用ＬＤ１５に対してレーザ光の照射を許可する信号を端子Ａ１２に出力しているときに動作し、禁止する信号を端子Ａ１２に出力している場合に動作しない。
【００３０】
ＣＤ用記録／読取制御部３４は、ＣＤへのデータの記録時、記録するデータを駆動制御部３８に渡す。ＤＶＤ用記録／読取制御部３７は、ＤＶＤへのデータの記録時、記録するデータを駆動制御部３８に渡す。駆動制御部３８は、ＣＤ用記録／読取制御部３４、またはＤＶＤ用記録／読取制御部３７から渡された記録データに基づいて、駆動回路２０に与える。また、ＣＤ用記録／読取制御部３４は制御部３１がＣＤ用ＬＤ１１に対してレーザ光の照射を許可する信号を端子Ａ６に出力しているときに動作し、禁止する信号を端子Ａ６に出力している場合に動作しない。ＤＶＤ用記録／読取制御部３７は、制御部３１がＤＶＤ用ＬＤ１５に対してレーザ光の照射を許可する信号を端子Ａ１２に出力しているときに動作し、禁止する信号を端子Ａ１２に出力している場合に動作しない。
【００３１】
駆動制御部３８は、光ディスクへのデータの記録時、ＣＤ用記録／読取部３４またはＤＶＤ用記録読取部３７から入力された記録データに基づいて、ＣＤ用ＬＤ１４またはＤＶＤ用ＬＤ１７から照射するレーザ光のパルス制御にかかる駆動信号を生成する。また、読取時、および記録時ともに、端子Ａ７を介して入力されるＣＤ用モニタＰＤ１４、またはＤＶＤ用モニタＰＤ１８の出力に基づいて、ＣＤ用ＬＤ１４またはＤＶＤ用ＬＤ１７から照射されるレーザ光のパワー制御も行う。駆動制御部３８は、ＣＤに記録されているデータを読み取るときにＣＤ用ＬＤ１１から照射するレーザ光の設定パワーと、ＣＤにデータを記録するきにＣＤ用ＬＤ１１から照射するレーザ光の設定パワーと、ＤＶＤに記録されているデータを読み取るときにＤＶＤ用ＬＤ１５から照射するレーザ光の設定パワーと、ＤＶＤにデータを記録するきにＤＶＤ用ＬＤ１５から照射するレーザ光の設定パワーと、の４つの設定パワーを記憶している。駆動制御部３８は、これらの設定パワーに基づいて、駆動回路２０に与える駆動信号を制御する。
【００３２】
次に、この発明の実施形態である光ディスク装置１の動作について説明する。制御部３１が本体にセットされている光ディスクの有無や、セットされている場合に、その光ディスクの種別（ＣＤまたはＤＶＤ）を検出している。まず、制御部３１は、本体に光ディスクがセットされていないことを検出しているとき、端子Ａ６からＣＤ用ＬＤ１１に対してレーザ光の照射禁止にかかる信号を出力している。また、端子Ａ１２からＤＶＤ用ＬＤ１５に対してレーザ光の照射禁止にかかる信号を出力している。言い換えれば、ＣＤ用ＬＤ１１、およびＤＶＤ用ＬＤ１２は、ともにレーザ光の照射禁止にかかる信号が入力されている。モニタ出力切替部１９は、ＣＤ用ＬＤ１１に対してレーザ光の照射禁止にかかる信号が入力されているので、ＤＶＤ用モニタＰＤ１８の出力を端子Ａ７に接続する状態になっている。また、駆動切替部２１は、ＣＤ用ＬＤ１１に対してレーザ光の照射禁止にかかる信号が入力されているので、ＤＶＤ用ＬＤ１５に駆動信号を与える状態になっている。
【００３３】
また、制御基板３においては、ＣＤ用フォーカスサーボ制御部３２、ＣＤ用トラッキングサーボ制御部３３、ＣＤ用記録／読取部３４、ＤＶＤ用フォーカスサーボ制御部３５、ＤＶＤ用トラッキングサーボ制御部３６、ＤＶＤ用記録／読取部３７、および駆動制御部３８が停止状態にある。したがって、本体に光ディスクがセットされていないとき、制御基板３において無駄に動作する部分がなく、消費電力を抑えることができる。
【００３４】
また、制御回路１３、１７により、駆動回路２０でノイズ等により発生した駆動信号がＣＤ用ＬＤ１１、ＤＶＤ用ＬＤ１７に入力されても、制御部３１がＣＤ用ＬＤ１１、ＤＶＤ用ＬＤ１７に対してレーザ光の照射を禁止しているので、ＣＤ用ＬＤ１１、ＤＶＤ用ＬＤ１７からレーザ光が照射されることはない。
【００３５】
なお、本体に光ディスクがセットされているかどうかの検出は、電源オン時等にＣＤ用ＬＤまたはＤＶＤ用ＬＤ１５から読取時のパワーのレーザ光を照射し、その反射光の有無により検出できる。また、本体に光ディスクがセットされていることが検出された場合に、この光ディスクのインフォメーション領域等に記録されているデータを読み取ることで、光ディスクの種別の判定が行える。
【００３６】
次に、本体にＣＤがセットされている場合について説明する。制御部３１は、本体にＣＤがセットされていることを検出しているとき、端子Ａ６からＣＤ用ＬＤ１１に対してレーザ光の照射許可にかかる信号を出力している。また、端子Ａ１２からＤＶＤ用ＬＤ１５に対してレーザ光の照射禁止にかかる信号を出力している。モニタ出力切替部１９は、ＣＤ用ＬＤ１１に対してレーザ光の照射許可にかかる信号が入力されているので、ＣＤ用モニタＰＤ１４の出力を端子Ａ７に接続する状態になっている。また、駆動切替部２１は、ＣＤ用ＬＤ１１に対してレーザ光の照射許可にかかる信号が入力されているので、駆動信号をＣＤ用ＬＤ１１に与える状態になっている。
【００３７】
また、制御基板３においては、ＣＤ用フォーカスサーボ制御部３２、ＣＤ用トラッキングサーボ制御部３３、ＣＤ用記録／読取部３４、および駆動制御部３８は、動作状態であり、ＤＶＤ用フォーカスサーボ制御部３５、ＤＶＤ用トラッキングサーボ制御部３６、およびＤＶＤ用記録／読取部３７が停止状態にある。したがって、本体にＣＤがセットされているときには、言い換えればＤＶＤが本体にセットされていないときには、制御基板３においてＤＶＤにかかる処理を行う各部が動作停止状態となり、消費電力を抑えることができる。
【００３８】
ＣＤ用フォーカスサーボ制御部３２は、制御回路１３が端子Ａ３に入力しているフォーカスエラー信号に基づいて、フォーカスサーボ信号を生成し、端子Ａ１を介してフォーカス機構２２に与える。フォーカス機構２２は、与えられたフォーカスサーボ信号に基づいて対物レンズ２１をＣＤに対して接離する方向に移動する。このフォーカスにかかる制御は、公知のようにＣＤの記録面にＣＤ用ＬＤ１１から出射されたレーザ光を合焦させる制御である。また、ＣＤ用トラッキングサーボ制御部３３は、制御回路１３が端子Ａ４に入力しているトラッキングエラー信号に基づいて、トラッキングサーボ信号を生成し、端子Ａ２を介してトラッキング機構２３に与える。トラッキング機構２３は、与えられたトラッキングサーボ信号に基づいて対物レンズ２１をＣＤの半径方向に移動する。このトラッキングにかかる制御は、公知のようにＣＤに形成されている記録トラックの中心にＣＤ用ＬＤ１１から出射されたレーザ光を合焦させる制御である。
【００３９】
また、駆動制御部３８は、端子Ａ７を介して入力されているＣＤ用モニタＰＤ１４の出力に基づいて、ＣＤ用ＬＤ１１に与える駆動信号を生成する。具体的には、ＣＤ用ＬＤ１１から出射されているレーザ光のパワーが予め設定されている大きさになるように、ＣＤ用ＬＤ１１に与える駆動信号を生成する。また、読取時にはＣＤ用ＬＤ１１から出射されるレーザ光を連続発信させ、記録時には記録するデータに応じてＣＤ用ＬＤ１１から出射されるレーザ光をパルス発信させる駆動信号の生成を行う。駆動制御部３８で生成された駆動信号は、駆動回路２０に入力される。駆動回路２０は、入力された駆動信号に基づいてＣＤ用ＬＤ１１を駆動し、ＣＤ用ＬＤ１１から出射されるレーザ光のパワーを制御する。このとき、駆動切替部２１は、駆動回路２０の出力をＣＤ用ＬＤ１１に供給する側に切替られている。また、ＤＶＤ用ＬＤ１５に対するレーザ光の出射禁止にかかる信号を制御回路１７に入力しているので、ＤＶＤ用ＬＤ１５からレーザ光が照射され、本体にセットされているＣＤが破損するという事態がおきるのも防止できる。
【００４０】
さらに、本体にＤＶＤがセットされている場合について説明する。制御部３１は、本体にＤＶＤがセットされていることを検出しているとき、端子Ａ６からＣＤ用ＬＤ１１に対してレーザ光の照射禁止にかかる信号を出力している。また、端子Ａ１２からＤＶＤ用ＬＤ１５に対してレーザ光の照射許可にかかる信号を出力している。モニタ出力切替部１９は、ＣＤ用ＬＤ１１に対してレーザ光の照射禁止にかかる信号が入力されているので、ＤＶＤ用モニタＰＤ１８の出力を端子Ａ７に接続する状態になっている。また、駆動切替部２１は、ＣＤ用ＬＤ１１に対してレーザ光の照射禁止にかかる信号が入力されているので、駆動信号をＣＤ用ＬＤ１１に与える状態になっている。
【００４１】
また、制御基板３においては、ＣＤ用フォーカスサーボ制御部３２、ＣＤ用トラッキングサーボ制御部３３、およびＣＤ用記録／読取部３４は、動作停止状態であり、ＤＶＤ用フォーカスサーボ制御部３５、ＤＶＤ用トラッキングサーボ制御部３６、ＤＶＤ用記録／読取部３７、および駆動制御部３８が動作状態にある。したがって、本体にＤＶＤがセットされているときには、言い換えればＣＤが本体にセットされていないときには、制御基板３においてＣＤにかかる処理を行う各部が動作停止状態となり、消費電力を抑えることができる。
【００４２】
ＤＶＤ用フォーカスサーボ制御部３５は、制御回路１３が端子Ａ１１に入力しているフォーカスエラー信号に基づいて、フォーカスサーボ信号を生成し、端子Ａ１４を介してフォーカス機構２６に与える。フォーカス機構２６は、与えられたフォーカスサーボ信号に基づいて対物レンズ２５をＣＤに対して接離する方向に移動する。このフォーカスにかかる制御は、公知のようにＤＶＤの記録面にＤＶＤ用ＬＤ１５から出射されたレーザ光を合焦させる制御である。また、ＤＶＤ用トラッキングサーボ制御部３６は、制御回路１３が端子Ａ１０に入力しているトラッキングエラー信号に基づいて、トラッキングサーボ信号を生成し、端子Ａ１３を介してトラッキング機構２７に与える。トラッキング機構２７は、与えられたトラッキングサーボ信号に基づいて対物レンズ２５をＤＶＤの半径方向に移動する。このトラッキングにかかる制御は、公知のようにＤＶＤに形成されている記録トラックの中心にＤＶＤ用ＬＤ１５から出射されたレーザ光を合焦させる制御である。
【００４３】
また、駆動制御部３８は、端子Ａ７を介して入力されているＤＶＤ用モニタＰＤ１８の出力に基づいて、ＤＶＤ用ＬＤ１５に与える駆動信号を生成する。具体的には、ＤＶＤ用ＬＤ１５から出射されているレーザ光のパワーが予め設定されている大きさになるように、ＤＶＤ用ＬＤ１５に与える駆動信号を生成する。また、読取時にはＤＶＤ用ＬＤ１５から出射されるレーザ光を連続発信させ、記録時には記録するデータに応じてＤＶＤ用ＬＤ１５から出射されるレーザ光をパルス発信させる駆動信号の生成を行う。駆動制御部３８で生成された駆動信号は、駆動回路２０に入力される。駆動回路２０は、入力された駆動信号に基づいてＤＶＤ用ＬＤ１５を駆動し、ＤＶＤ用ＬＤ１５から出射されるレーザ光のパワーを制御する。このとき、駆動切替部２１は、駆動回路２０の出力をＤＶＤ用ＬＤ１５に供給する側に切替られている。また、ＣＤ用ＬＤ１１に対するレーザ光の出射禁止にかかる信号を制御回路１３に入力しているので、ＣＤ用ＬＤ１１からレーザ光が照射され、本体にセットされているＤＶＤが破損するという事態がおきるのも防止できる。
【００４４】
このように、この実施形態の光ディスク装置１は、ピックアップヘッド２側にモニタ出力切替部１９を設け、制御基板３から入力されるＣＤ用ＬＤ１１に対するレーザ光の出射許可／禁止にかかる信号をピックアップヘッド内部で分けて、ＣＤ用ＬＤ１１、モニタ出力切替部１０、駆動切替部２１にそれぞれ入力する構成としたので、ピックアップヘッド２と、制御基板３とを接続する配線の本数を減少させることができる。また、制御基板３側に、ＣＤ用モニタＰＤ１４とＤＶＤ用モニタＰＤ１８の出力を共通の回路で処理する構成としたので、その回路構成を簡略化できる。したがって、光ディスク装置本体１のコストを十分に抑えることができる。
【００４５】
また、ＣＤ用ＬＤ１１と、ＤＶＤ用ＬＤ１５に対してレーザ光の出射許可／禁止にかかる信号については個別に与える構成としているので、本体に光ディスクがセットされていないときに、駆動回路２０で発生したノイズによって、ＣＤ用ＬＤ１１からレーザ光が出射されるという事態がおきることもない。また、ＣＤ用ＬＤ１１、およびＤＶＤ用ＬＤ１５の駆動部を共通化したので、さらなるコストダウンが図れる。
【００４６】
なお、上記実施形態では、ＣＤとＤＶＤに対してデータの読取や記録が行える光ディスク装置を例にして本願発明を説明したが、本願発明はＣＤとＢＤ、ＤＶＤとＢＤ等、異なる２種類の光ディスクに対してータの読取や記録が行える光ディスク装置であれば適用できる。
【図面の簡単な説明】
【００４７】
【図１】この発明の実施形態である光ディスク装置の主要部の構成を示す図である。
【図２】この発明の実施形態である光ディスク装置のピックアップヘッドの構成を示す図である。
【図３】この発明の実施形態である光ディスク装置の制御基板の構成を示す図である。
【符号の説明】
【００４８】
１−光ディスク装置
２−ピックアップヘッド
３−制御基板
１１−ＣＤ用ＬＤ
１２−ＣＤ用ＰＤ
１３−制御回路
１４−ＣＤ用モニタＰＤ
１５−ＤＶＤ用ＬＤ
１６−ＤＶＤ用ＰＤ
１７−制御回路
１８−ＤＶＤ用モニタＰＤ
１９−モニタ出力切替部
２０−駆動回路
２１−駆動切替部
２１、２５−対物レンズ
２２、２６−フォーカス機構
２３、２７−トラッキング機構
２４、２８−ビームスプリッタ
３１−制御部
３２−ＣＤ用フォーカス制御部
３３−ＣＤ用トラッキング制御部
３４−ＣＤ用記録／読取制御部
３５−ＤＶＤ用フォーカス制御部
３６−ＤＶＤ用トラッキング制御部
３７−ＤＶＤ用記録／読取制御部
３８−駆動制御部
【図１】
2006179086.tif 000003
【図２】
2006179086.tif 000004
【図３】
2006179086.tif 000005